(57)【要約】      （修正有）【課題】上半身部と下半身部とを連結することによって、上半身部が捲れ上がることを防止することができる水着を提供すること。【解決手段】上半身部１０と下半身部２０とからなる水着であって、前記上半身部１０は、該上半身部１０の内側に、環状にした紐部材１１を有し、前記下半身部２０は、該下半身部２０の外側に、前記紐部材１１を引っ掛けて固定する凸部材２１を有し、前記紐部材１１は、長手方向に伸縮可能な部材である、ことを特徴とする。【選択図】図１
0003202478.tif 000002
【実用新案登録請求の範囲】
【請求項１】
上半身部と下半身部とからなる水着であって、
前記上半身部は、該上半身部の内側に、環状にした紐部材を有し、
前記下半身部は、該下半身部の外側に、前記紐部材を引っ掛けて固定する凸部材を有し、
前記紐部材は、長手方向に伸縮可能な部材である、
ことを特徴とする水着。
【請求項２】
前記上半身部の身丈方向に複数の前記紐部材を備える、ことを特徴とする請求項１に記載の水着。
【請求項３】
前記上半身部は、前記下半身部の外側に重ねて着用され、
前記下半身部の前記凸部材は、前記上半身部に覆い隠される、
ことを特徴とする請求項１又は請求項２に記載の水着。
【考案の詳細な説明】
【技術分野】
【０００１】
本考案は、上半身部と下半身部とからなる水着に関する。本考案は、上半身部と下半身部とからなるフィットネス用水着に関するものであってもよい。
【背景技術】
【０００２】
セパレートタイプの水着には、体の上半身に着用する上半身部と下半身に着用する下半身部とから構成されるものがある。セパレートタイプの水着では、上半身部と下半身部とが連結されていないため、フィットネスや水泳、ビーチバレー等のアクティブな動きをした場合に、上半身部が捲れ上がり、例えば腹部が露出してしまうという問題があった。特許文献１では、トップ（上半身部）の捲れ上がりを防止するために、トップ（上半身部）とボトム（下半身部）からなるセパレート水着において、トップ内側の左右身頃と、ボトム外側の左右身頃とにスナップ釦を設け、トップとボトムとを一体保持可能としたセパレート水着に関する技術を開示している。
【先行技術文献】
【特許文献】
【０００３】
【特許文献１】特開２００６−８９９０１号公報
【考案の概要】
【考案が解決しようとする課題】
【０００４】
しかしながら、特許文献１に開示されている技術では、スナップ釦でトップとボトムの位置を固定するため、運動中にトップ（上半身部）に引っ張られて、いわゆる「ツッた」ような不快感を感じる場合がある。また、特許文献１に開示されている技術では、スナップ釦を増やすとトップ（上半身部）のスナップ釦の列が長くなり、肌に当たって肌にストレスを与える場合がある。更に、特許文献１に開示されている技術では、スナップ釦を増やすとボトム（下半身部）のスナップ釦の列が長くなり、水着のデザイン性が低下する場合がある。
【０００５】
本発明は、上半身部と下半身部とからなる水着であって、上半身部と下半身部とを連結することによって、上半身部が捲れ上がることを防止することができる水着を提供することを目的とする。また、本考案は、上半身部の内側の紐部材を下半身部の外側の凸部材に引っ掛けて固定することによって、デザイン性を犠牲にすることなく、且つ、肌に接触してもストレスを与えることのない水着であってもよい。また、本考案は、上半身部が捲れ上がることを防止することができるフィットネス用水着に関するものであってもよい。
【課題を解決するための手段】
【０００６】
上記課題を解決するために、本考案の一つの実施形態は、上半身部と下半身部とからなる水着であって、前記上半身部は、該上半身部の内側に、環状にした紐部材を有し、前記下半身部は、該下半身部の外側に、前記紐部材を引っ掛けて固定する凸部材を有し、前記紐部材は、長手方向に伸縮可能な部材である、ことを特徴とする水着を提供する。
【０００７】
本考案の他の実施形態は、上記の水着であって、前記上半身部の身丈方向に複数の前記紐部材を備える、ことを特徴とする水着であってもよい。
【０００８】
本考案の他の実施形態は、上記のいずれか１つの水着であって、前記上半身部は、前記下半身部の外側に重ねて着用され、前記下半身部の前記凸部材は、前記上半身部に覆い隠される、ことを特徴とする水着であってもよい。
【考案の効果】
【０００９】
本考案に係る水着によれば、上半身部と下半身部とを連結することによって、上半身部が捲れ上がることを防止することができる水着を提供することができる。
【図面の簡単な説明】
【００１０】
【図１】本考案の実施形態に係る水着の一例を説明する説明図である。
【考案を実施するための形態】
【００１１】
実施形態に係る水着（セパレートタイプの水着）の例を用いて、本考案を説明する。なお、本考案は、以後に説明する水着以外でも、上半身部と下半身部とが分かれた被服や運動着などであれば、いずれのものにも用いることができる。なお、水着の素材、色は、特に限定されない。水着の色は、無地、色付きのものであってもよい。水着の色は、例えば使用者（消費者）の趣味趣向に合わせた柄のものであってもよい。
【００１２】
以後に、本考案を説明する。
【００１３】
図１を用いて、本考案の実施形態に係る水着の構成を説明する。ここで、図１は、本考案の実施形態に係る水着１００の一例を説明する説明図である。なお、図１に示す水着は一例であり、本考案は図１に示す水着に限定されるものではない。
【００１４】
図１に示すように、本考案に係る水着１００は、上半身部１０と下半身部２０とからなるセパレートタイプの水着である。上半身部１０は、本考案では、上半身部の内側に、環状にした紐部材１１を有する。また、下半身部２０は、下半身部の外側に、紐部材１１を引っ掛けて固定する凸部材２１を有する。
【００１５】
紐部材１１は、環状にした紐であって、長手方向に伸縮可能な部材（紐、ゴム紐など）を用いることができる。これにより、本考案に係る水着１００は、紐部材１１を凸部材２１に引っ掛けて固定した場合でも、紐部材１１が伸縮することにより上半身部１０と下半身部２０との位置を調整することができる。本考案に係る水着１００は、例えば運動中に体を屈曲等しても、水着の上半身部に引っ張られて、「ツッた」ような不快感を感じることを防止することができる。また、本考案に係る水着１００は、環状にした紐を紐部材１１に用いることができるので、紐部材１１が肌に接触しても、肌にストレスを与えることを防止することができる。
【００１６】
紐部材１１は、図１に示すように、本実施形態では、上半身部の身丈方向に複数の紐部材（１１Ａ，１１Ｂ）を備える。これにより、本考案に係る水着１００は、凸部材２１に引っ掛ける紐部材（１１Ａ，１１Ｂ）を変更することによって、身長や座高などが異なる様々な方にフィットする調整機能を付与することができる。なお、本考案に係る水着は、紐部材を一つ又は二つ以上であってもよい。
【００１７】
凸部材２１は、環状にした紐を固定する（引っ掛ける）ことができる部材であれば、いずれのものも用いることができる。凸部材２１は、ボタンやフック、ホックなどを用いてもよい。なお、凸部材２１の材質は、金属、アクリル、シリコン、塩化ビニル、合成樹脂又はエンジニアリングプラスチックを用いることができる。また、本考案に係る凸部材２１の形状は、特に限定されない。
【００１８】
本考案に係る水着１００では、図１に示すように、上半身部１０は下半身部２０の外側に重ねて着用され、下半身部２０の凸部材２１は上半身部１０に覆い隠される。これにより、本考案に係る水着１００は、凸部材２１を上半身部１０で隠すことができ、水着のデザイン性を犠牲にすることなく、上半身部と下半身部とを固定することができる。
【００１９】
以上のとおり、本考案に係る水着によれば、上半身部の内側の紐部材と下半身部の外側の凸部材とを用いて、上半身部が捲れ上がることを防止することができる。また、本考案に係る水着によれば、伸縮可能な紐部材または複数の紐部材を用いて上半身部と下半身部との位置を調整することができる。更に、本考案に係る水着によれば、上半身部を下半身部の外側に重ねて着用し、下半身部の凸部材を上半身部に覆い隠すことができるので、デザイン性の高い水着を提供することができる。なお、本考案に係る水着は、年齢や性別を限定することなく、いずれの水着にも用いることができる。また、本考案に係る水着は、ベルトや吊りバンドを要することなく、腹部を圧迫することなく、上半身部が捲れ上がることを防止することができる。
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【産業上の利用可能性】
【００２１】
水着として説明したが、本考案は水着に限らず運動着としても適用できることは言うまでもない。
【符号の説明】
【００２２】
１００  ：  水着（フィットネス用水着など）
１０  ：  上半身部
１１，１１Ａ，１１Ｂ  ：  紐部材（ゴム紐など）
２０  ：  下半身部
２１  ：  凸部材（ボタン、フック、ホックなど）
【図１】
0003202478.tif 000003